【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
任意の画像の拡大率を設定する第１設定手段と、
画像を撮像する撮像手段と、
当該第１設定手段により設定された当該拡大率が所定の拡大率となるまで、当該拡大率に対応した当該撮像手段からの画像データの出力制御を行う出力制御手段と、
当該出力制御手段の制御により当該撮像手段から出力される画像データを記録する記録手段と、
当該記録手段から画像データを読み出す読出手段と、
当該記録手段より読み出された画像データを記録対象の記録媒体に応じて拡大又は縮小する画像処理手段とを有し、
当該読出手段は、当該第１設定手段により設定された当該拡大率が当該所定の拡大率を上回ったときは、前記上回った拡大率に対応して当該記録手段から画像データを読み出すことを特徴とする撮像装置。
【請求項２】
前記記録手段に記録された画像データに基づいて、焦点の調節制御を行う焦点制御手段を有することを特徴とする請求項１記載の撮像装置。
【請求項３】
前記記録手段に記録された画像データに基づいて、外界からの入射光の光量を制御する光量制御手段を有することを特徴とする請求項１記載の撮像装置。
【請求項４】
前記記録手段に記録された画像データに基づいて、前記撮像手段より出力される画像データについてホワイトバランスを制御するホワイトバランス制御手段を有することを特徴とする請求項１記載の撮像装置。
【請求項５】
前記読出手段により前記記録手段から読み出される画像データに基づいて、焦点の調節制御を行う焦点制御手段を有することを特徴とする請求項１記載の撮像装置。
【請求項６】
前記読出手段により前記記録手段から読み出される画像データに基づいて、外界からの入射光の光量を制御する光量制御手段を有することを特徴とする請求項１記載の撮像装置。
【請求項７】
前記読出手段により前記記録手段から読み出される画像データに基づいて、前記撮像手段より出力される画像データについてホワイトバランスを制御するホワイトバランス制御手段を有することを特徴とする請求項１記載の撮像装置。
【請求項８】
前記撮像手段は、前記記録媒体に記録される画素数より多い画素数の撮像素子を有することを特徴とする請求項１記載の撮像装置。
【請求項９】
前記所定の拡大率を任意に設定する第２設定手段を有し、
当該第２設定手段は、前記撮像手段における撮像素子の数に対応して前記所定の拡大率を拡大率の低い側に設定することを特徴とする請求項１記載の撮像装置。
【請求項１０】
任意の画像の拡大率を設定する第１設定ステップと、
当該第１設定ステップにより設定された当該拡大率が所定の拡大率となるまで、当該拡大率に対応して、画像を撮像する撮像手段からの画像データの出力制御を行う出力制御ステップと、
当該出力制御ステップでの制御により当該撮像手段から出力される画像データを記録する記録手段から、画像データを読み出す読出ステップと、
当該記録手段より読み出された画像データを記録対象の記録媒体に応じて拡大又は縮小する画像処理ステップとを有し、
当該読出ステップでは、当該第１設定ステップにより設定された当該拡大率が当該所定の拡大率を上回ったときは、前記上回った拡大率に対応して当該記録手段から画像データを読み出すことを特徴とする画像補間方法。
【請求項１１】
前記記録手段に記録された画像データに基づいて、焦点の調節制御を行う焦点制御ステップを有することを特徴とする請求項１０記載の画像補間方法。
【請求項１２】
前記記録手段に記録された画像データに基づいて、外界からの入射光の光量を制御する光量制御ステップを有することを特徴とする請求項１０記載の画像補間方法。
【請求項１３】
前記記録手段に記録された画像データに基づいて、前記撮像手段より出力される画像データについてホワイトバランスを制御するホワイトバランス制御ステップを有することを特徴とする請求項１０記載の画像補間方法。
【請求項１４】
前記読出ステップにより前記記録手段から読み出される画像データに基づいて、焦点の調節制御を行う焦点制御ステップを有することを特徴とする請求項１０記載の画像補間方法。
【請求項１５】
前記読出ステップにより前記記録手段から読み出される画像データに基づいて、外界からの入射光の光量を制御する光量制御ステップを有することを特徴とする請求項１０記載の画像補間方法。
【請求項１６】
前記読出ステップにより前記記録手段から読み出される画像データに基づいて、前記撮像手段より出力される画像データについてホワイトバランスを制御するホワイトバランス制御ステップを有することを特徴とする請求項１０記載の画像補間方法。
【請求項１７】
前記所定の拡大率を任意に設定する第２設定ステップを有し、
当該第２設定ステップでは、前記撮像手段における撮像素子の数に対応して前記所定の拡大率を拡大率の低い側に設定することを特徴とする請求項１０記載の画像補間方法。
【請求項１８】
請求項１〜９の何れか１項に記載の撮像装置の各手段としてコンピュータを機能させるためのプログラムを記録したことを特徴とするコンピュータ読み取り可能な記録媒体。
【請求項１９】
請求項１０〜１７の何れか１項に記載の画像補間方法の処理ステップをコンピュータに実行させるためのプログラムを記録したことを特徴とするコンピュータ読み取り可能な記録媒体。
【請求項２０】
請求項１〜９の何れか１項に記載の撮像装置の各手段としてコンピュータを機能させるためのプログラム。
【請求項２１】
請求項１０〜１７の何れか１項に記載の画像補間方法の処理ステップをコンピュータに実行させるためのプログラム。
【手続補正２】
【補正対象書類名】明細書
【補正対象項目名】００１１
【補正方法】変更
【補正の内容】
【００１１】
【課題を解決するための手段】
かかる目的を達成するために、請求項１記載の撮像装置は、任意の画像の拡大率を設定する第１設定手段と、画像を撮像する撮像手段と、当該第１設定手段により設定された当該拡大率が所定の拡大率となるまで、当該拡大率に対応した当該撮像手段からの画像データの出力制御を行う出力制御手段と、当該出力制御手段の制御により当該撮像手段から出力される画像データを記録する記録手段と、当該記録手段から画像データを読み出す読出手段と、当該記録手段より読み出された画像データを記録対象の記録媒体に応じて拡大又は縮小する画像処理手段とを有し、当該読出手段は、当該第１設定手段により設定された当該拡大率が当該所定の拡大率を上回ったときは、前記上回った拡大率に対応して当該記録手段から画像データを読み出すことを特徴とする。
【手続補正３】
【補正対象書類名】明細書
【補正対象項目名】００２０
【補正方法】変更
【補正の内容】
【００２０】
また、請求項１０記載の画像補間方法は、任意の画像の拡大率を設定する第１設定ステップと、当該第１設定ステップにより設定された当該拡大率が所定の拡大率となるまで、当該拡大率に対応して、画像を撮像する撮像手段からの画像データの出力制御を行う出力制御ステップと、当該出力制御ステップでの制御により当該撮像手段から出力される画像データを記録する記録手段から、画像データを読み出す読出ステップと、当該記録手段より読み出された画像データを記録対象の記録媒体に応じて拡大又は縮小する画像処理ステップとを有し、当該読出ステップでは、当該第１設定ステップにより設定された当該拡大率が当該所定の拡大率を上回ったときは、前記上回った拡大率に対応して当該記録手段から画像データを読み出すことを特徴とする。
【手続補正４】
【補正対象書類名】図面
【補正対象項目名】図４
【補正方法】変更
【補正の内容】
【図４】
2003125270.tif 000001